(57)【要約】【課題】中心部材を位置精度良く正確に組み付けることができて、中心部材に段板を収まり良く取り付けることができる階段構造を提供する。【解決手段】本発明は、複数の段板の内側端縁を支持するための中心部材５１ｂ、６１ｂ、７１ｂが、中心構造材１の外周面に周方向に並んで取り付けられ、隣合う中心部材の対応する端縁同士が接合される階段構造を対象とする。隣合う中心部材５１ｂ、６１ｂの対応端縁のうち、一方の端縁にダボ５５ｂが設けられるとともに、他方の端縁に水平方向に長い長孔形状のダボ孔６６ｂが設けられる。隣合う中心部材５１ｂ、６１ｂの対応端縁が接合された状態では、ダボ５５ｂがダボ孔６６ｂに嵌合されて、隣合う中心部材間において上下方向の位置決めが図られる。一方の中心部材が他方の中心部材に対しダボ孔長さ方向に沿って水平移動可能に構成される。【選択図】      図１５
2006016918.tif 000002
【特許請求の範囲】
【請求項１】
中心構造材の廻りに複数の段板が周方向に変位させつつ設けられる廻り階段を有し、前記複数の段板の内側端縁を支持するための複数の中心部材が、前記中心構造材の外周面に周方向に並んで取り付けられるとともに、隣合う中心部材の対応する端縁同士が接合される階段構造であって、
隣合う中心部材の対応端縁のうち、一方の端縁に外方突出状にダボが設けられるとともに、他方の端縁に水平方向に長い長孔形状のダボ孔が設けられ、
隣合う中心部材の対応端縁が接合された状態では、前記ダボが前記ダボ孔に嵌合されて、隣合う中心部材間において上下方向の位置決めが図られるとともに、一方の中心部材が他方の中心部材に対し前記ダボ孔の長さ方向に沿って水平移動可能に構成されてなることを特徴とする階段構造。
【請求項２】
前記中心部材は、中心構造材の一側面、前側面及び他側面に設けられる中心一側部材、中心前側部材及び中心他側部材を有し、
前記中心一側部材の前端縁及び前記中心前側部材の一側端縁が接合されるとともに、前記中心前側部材の他側端縁及び前記中心他側部材の前端縁が接合されてなる請求項１に記載の階段構造。
【請求項３】
前記中心一側部材の前側木口及び前記中心前側部材の他側木口に前記ダボが設けられるとともに、
前記中心前側部材の一側端縁及び前記中心他側部材の前側端縁に前記ダボ孔が設けられてなる請求項２に記載の階段構造。
【請求項４】
下直内側板を有する下直階段を備え、
前記下直内側板の上側端縁に切欠部が設けられ、その切欠部に前記廻り階段の一端部に位置する中心部材の下端部が係合されてなる請求項１ないし３のいずれかに記載の階段構造。
【請求項５】
上直内側板を有する上直階段を備え、
前記上直内側板の下側端縁に切欠部が設けられ、その切欠部に前記廻り階段の他端部に位置する中心部材の上端部が係合されてなる請求項１ないし４のいずれかに記載の階段構造。
【請求項６】
上直内側板を有する上直階段を備え、
前記上直内側板の下側端縁が、前記廻り階段の他端部に位置する中心部材の上端部に相欠き接合状態に接合されてなる請求項１ないし５のいずれかに記載の階段構造。
【発明の詳細な説明】
【技術分野】
【０００１】
この発明は、廻り階段を有する階段構造に関する。
【背景技術】
【０００２】
二階建て三階建て住宅の木質製屋内階段においては、設置スペース等を考慮して、途中で１８０°向きを変える折り返し階段や、途中で９０°向きを変えるかね折れ階段等、直階段と廻り階段とを組み合わせた廻り階段付きの階段構造が適用されることがある。
【０００３】
一方近年の住宅建築技術においては、屋内階段を組み立てるに際して、施工作業性の向上を図るため、階段を構成する部材のほとんどの部材を工場側であらかじめ裁断（プレカット）しておき、そのプレカット材を施工現場に搬入して組立施工するというプレカット工法が多く採用されている。
【０００４】
廻り階段付きの階段構造をプレカット工法により施工する手段としては、例えば下記特許文献１ないし３に示すものが周知である。この階段構造は、下直階段の上端に廻り階段が組み付けられるとともに、廻り階段に上直階段が組み付けられた折り返し階段を構成するものである。
【０００５】
この階段構造においては、中心柱の周囲三面に中心部材が取り付けられる。各中心部材には、段板取付溝が形成されており、所定の溝に対応する段板の内側端縁が支持されて、高さが異なる複数の段板が中心柱の廻りに周方向に変位して配置されている。
【特許文献１】特許第２５０６２０４号（第１，２，４，６，７図）
【特許文献２】特許第３０５９６６０号（図１，２，４，６，７）
【特許文献３】特許第３０６１２５０号（図１，２，４，６，７）
【発明の開示】
【発明が解決しようとする課題】
【０００６】
しかしながら、上記特許文献１ないし３に示すような従来の階段構造においては、廻り階段における中心柱は角柱形状であるのに対し、段板は中心柱の廻りに周方向に変位させつつ高さを順次異ならせて配置するものであるため、中心柱に取り付けられる段板支持用の中心部材の形状や、中心部材及び段板間の支持構造が複雑になる上、組付手順等も制限される。このためプレカット時に寸法精度良く裁断されていたとしても、実際に現場で施工した際には、些細な事項が基になって中心部材や段板の取付精度が低下する恐れがある。例えば中心部材の位置精度が低下して少しでも位置ずれが生じると、中心部材に対する段板支持部周辺の収まりが悪くなり、美観が低下するばかりか、場合によっては、段板や中心部材を正確に組み付けることができないという問題が発生する。
【０００７】
この発明は、上記従来技術の問題を解消し、中心部材を位置精度良く正確に組み付けることができて、中心部材に段板を収まり良く取り付けることができる階段構造を提供することを目的とする。
【課題を解決するための手段】
【０００８】
上記目的を達成するため、本発明は、以下の構成を要旨としている。
【０００９】
［１］  中心構造材の廻りに複数の段板が周方向に変位させつつ設けられる廻り階段を有し、前記複数の段板の内側端縁を支持するための複数の中心部材が、前記中心構造材の外周面に周方向に並んで取り付けられるとともに、隣合う中心部材の対応する端縁同士が接合される階段構造であって、
隣合う中心部材の対応端縁のうち、一方の端縁に外方突出状にダボが設けられるとともに、他方の端縁に水平方向に長い長孔形状のダボ孔が設けられ、
隣合う中心部材の対応端縁が接合された状態では、前記ダボが前記ダボ孔に嵌合されて、隣合う中心部材間において上下方向の位置決めが図られるとともに、（隣合う中心部材のうち、）一方の中心部材が他方の中心部材に対し前記ダボ孔の長さ方向に沿って水平移動可能に構成されてなることを特徴とする階段構造。
【００１０】
［１ａ］  前記一方の中心部材の木口に前記ダボが設けられるとともに、前記他方の中心部材の端縁に前記ダボ孔が設けられてなる前項１に記載の階段構造。
【００１１】
［１ｂ］  前記中心部材に、段板の内側端縁を差し込んで支持するための段板取付溝が形成されてなる前項１又は１ａに記載の階段構造。
【００１２】
［１ｃ］  前記中心部材に、蹴込板の内側端縁を差し込んで支持するための蹴込板取付溝が形成されてなる前項１、１ａ、１ｂのいずれかに記載の階段構造。
【００１３】
［１ｄ］  前記中心構造材が、中心柱をもって構成されてなる前項１、１ａ〜１ｃのいずれかに記載の階段構造。
【００１４】
［１ｅ］  廻り階段の外周に、前記複数の中心部材に対応して、複数の外廻り側板が配置され、
段板の両側端縁が、前記中心部材及び外廻り側板に支持されてなる前項１、１ａ〜１ｄのいずれかに記載の階段構造。
【００１５】
［１ｆ］  前記ダボが前記ダボ孔にガイドされつつ、一方の中心部材が他方の中心部材に対し水平移動するよう構成されてなる前項１、１ａ〜１ｅのいずれかに記載の階段構造。
【００１６】
［１ｇ］  前記複数の段板は、高さを異ならせつつ中心構造材の廻りに設けられてなる前項１、１ａ〜１ｆのいずれかに記載の階段構造。
【００１７】
［２］  前記中心部材は、中心構造材の一側面、前側面及び他側面に設けられる中心一側部材、中心前側部材及び中心他側部材を有し、
前記中心一側部材の前端縁及び前記中心前側部材の一側端縁が接合されるとともに、前記中心前側部材の他側端縁及び前記中心他側部材の前端縁が接合されてなる前項１に記載の階段構造。
【００１８】
［２ａ］  前記廻り階段の外周に、前記中心一側部材、前記中心前側部材及び前記中心他側部材にそれぞれ対向して、外廻り一側板、外廻り前側板及び外廻り他側板が設けられ、
前記外廻り一側板、前記外廻り前側板及び前記外廻り他側板に、段板の外側端縁を差し込んで支持するための段板取付溝が形成されてなる前項２に記載の階段構造。
【００１９】
［２ｂ］  前記外廻り一側板、前記外廻り前側板及び前記外廻り他側板に、蹴込板の外側端縁を差し込んで支持するための蹴込板取付溝が形成されてなる前項２ａに記載の階段構造。
【００２０】
［２ｃ］  前記中心一側部材の前側木口が前記中心前側部材の裏面側における一側端縁に接合されるとともに、前記中心前側部材の他側木口が前記中心他側部材の裏面側における前側端縁に接合されてなる前項２、２ａ、２ｂのいずれかに記載の階段構造。
【００２１】
［３］  前記中心一側部材の前側木口及び前記中心前側部材の他側木口に前記ダボが設けられるとともに、
前記中心前側部材の一側端縁及び前記中心他側部材の前側端縁に前記ダボ孔が設けられてなる前項２に記載の階段構造。
【００２２】
［３ａ］  前記ダボはその基端側が前記中心一側部材の前側木口及び前記中心前側部材の木口に埋設状態に固定されてなる前項３に記載の階段構造。
【００２３】
［４］  下直内側板を有する下直階段を備え、
前記下直内側板の上側端縁に切欠部が設けられ、その切欠部に前記廻り階段の一端部に位置する中心部材の下端部が係合されてなる前項１ないし３のいずれかに記載の階段構造。
【００２４】
［５］  上直内側板を有する上直階段を備え、
前記上直内側板の下側端縁に切欠部が設けられ、その切欠部に前記廻り階段の他端部に位置する中心部材の上端部が係合されてなる前項１ないし４のいずれかに記載の階段構造。
【００２５】
［６］  上直内側板を有する上直階段を備え、
前記上直内側板の下側端縁が、前記廻り階段の他端部に位置する中心部材の上端部に相欠き接合状態に接合されてなる前項１ないし５のいずれかに記載の階段構造。
【００２６】
［６ａ］  前記中心部材は、中心構造材の一側面、前側面及び他側面に設けられる中心一側部材、中心前側部材及び中心他側部材を有し、
前記中心一側部材が、前記廻り階段の一端部に位置する中心部材として構成されてなる前項４ないし６のいずれかに記載の階段構造。
【００２７】
［６ｂ］  前記中心他側部材が、前記廻り階段の他端部に位置する中心部材として構成されてなる前項４、５、６、６ａのいずれかに記載の階段構造。
【００２８】
［６ｃ］  平行に配置された下直内側板及び下直外側板間に複数の段板が間隔をおいて設けられた下直階段を備え、
前記廻り階段の外周に、前記中心一側部材、前記中心前側部材及び前記中心他側部材にそれぞれ対向して、外廻り一側板、外廻り前側板及び外廻り他側板が設けられ、
前記下直外側板の上側端縁が、前記外廻り一側板の端縁に相欠き接合状態に組み付けられてなる前項１ないし３のいずれかに記載の階段構造。
【００２９】
［６ｄ］  平行に配置された上直内側板及び上直外側板間に複数の段板が間隔をおいて設けられた上直階段を備え、
前記廻り階段の外周に、前記中心一側部材、前記中心前側部材及び前記中心他側部材にそれぞれ対向して、外廻り一側板、外廻り前側板及び外廻り他側板が設けられ、
前記上直外側板の下側端部が、前記外廻り他側板の端縁に相欠き接合状態に組み付けられてなる前項１、２、３、６ｃのいずれかに記載の階段構造。
【発明の効果】
【００３０】
［１］の発明によれば、隣合う中心部材の対応する端縁の一方にダボを設けて、他方に横長のダボ孔を形成しているため、ダボをダボ孔に嵌合させることにより、両中心部材間において上下方向の位置決めを正確に図ることができる。更にダボ孔長さ方向に沿って、一方の中心部材を他方の中心部材に対し水平移動させることにより、中心部材を高精度に位置合わせすることができる。このように段板取付用の中心部材を位置精度良く簡単に組み付けることができるため、各中心部材に取り付けられる段板も位置精度良く簡単に組み付けることができるとともに、これらの部材を収まり良く配置できて、良好な美観を得ることができる。
【００３１】
［２］［３］の発明によれば、上記の効果をより確実に得ることができる。
【００３２】
［４］の発明によれば、下直内側板の切欠接合部に中心部材の下端を係合して位置決めするものであるため、下直内側板及び中心部材間の位置合わせを容易に行うことができる。
【００３３】
［５］［６］の発明によれば、上直内側板の下端と中心部材とを係合して位置決めするものあるため、上直内側板及び中心部材間の位置合わせを容易に行うことができる。
【発明を実施するための最良の形態】
【００３４】
図１及び図２はこの発明の実施形態である階段構造を示す図である。同図に示すように、この実施形態の階段構造は、プレカット工法によって組み立てられるものであり、下直階段（１０）と、上直階段（２０）と、廻り階段（３０）とを有する折り返し階段をもって構成されている。
【００３５】
図１ないし図４に示すように、下直階段（１０）は、長板形状の外側板（下直外側板１１ａ）及び内側板（下直内側板１１ｂ）と、両側板（１１ａ）（１１ｂ）間に設けられる複数の段板（１８）及び複数の蹴込板（１９）とを具備している。
【００３６】
下直外側板（１１ａ）の内面側には、段板（１８）の取付位置に対応して、上下方向及び水平方向に所定の間隔をおいて複数の段板取付溝（１２ａ）が水平に形成されている。各段板取付溝（１２ａ）は、その後端側が開放されて、下直外側板（１１ａ）の後側から段板（１８）の端縁を挿入できるよう構成されている。更に下直外側板（１１ａ）の内側面には、隣合う段板取付溝（１２ａ）間において、上側の段板取付溝（１２ａ）の先端部から下側の段板取付溝（１２ａ）の基端部にかけて複数の蹴込板取付溝（１３ａ）が垂直に形成されている。各蹴込板取付溝（１３ａ）は、その下端側が開放されて、下直外側板（１１ａ）の下側から蹴込板（１９）の端縁を挿入できるよう構成されている。
【００３７】
図８及び図９に示すように、下直外側板（１１ａ）の上端縁は、上側が切り欠かれるように形成されて、上側に切欠凹部（１４ａ）、下側に凸部（１５ａ）を有する上側切欠接合部（１０ａ）として形成されている。更に切欠接合部（１０ａ）における凹部（１４ａ）及び凸部（１５ａ）間の段差部が、係合段部（１６ａ）として構成されている。
【００３８】
下直内側板（１１ｂ）の内面側には、下直外側板（１１ａ）の段板取付溝（１２ａ）及び蹴込板取付溝（１３ａ）に対応して、段板取付溝（１２ｂ）及び蹴込板取付溝（１３ｂ）がそれぞれ形成されている。
【００３９】
また下直内側板（１１ｂ）の上端縁は、上側が切り欠かれるように形成されて、上側に切欠凹部（１４ｂ）、下側に凸部（１５ｂ）を有する上側切欠接合部（１０ｂ）として形成されている。更に切欠接合部（１０ｂ）における凹部（１４ｂ）及び凸部（１５ｂ）間の段差部が、係合段部（１６ｂ）として構成されている。
【００４０】
なお切欠接合部（１０ｂ）の係合段部（１６ｂ）は、最上段の段板取付溝（１２ｂ）の上端縁に一致するように形成されている。更にこの最上段の段板取付溝（１２ｂ）は、後述するように、廻り階段（３０）における第１段板（３１）が挿入されるとともに、最上段の蹴込板取付溝（１３ｂ）は、廻り階段（３０）における第１蹴込板（４１）が挿入されるものである。換言すればこの最上段の段板取付溝（１２ｂ）及び蹴込板取付溝（１３ｂ）は、廻り階段（３０）における第１段板取付溝（３１ｂ）及び第１蹴込板取付溝（４１ｂ）を兼用するものである。
【００４１】
本実施形態において、下直外側板（１１ａ）及び下直内側板（１１ｂ）は、互いに対向するようにして支柱（１）（２）等の家屋構造体に固定される。
【００４２】
更に内外両側板（１１ａ）（１１ｂ）の対向する段板取付溝（１２ａ）（１２ｂ）にその後方から段板（１８）の両側端縁がそれぞれ挿入されて固定されるとともに、対向する蹴込板取付溝（１３ａ）（１３ｂ）にその下方から蹴込板（１９）の両側端縁がそれぞれ挿入されて固定されている。
【００４３】
図１、２及び図５、６に示すように、上直階段（２０）は、長板形状の外側板（上直外側板２１ａ）及び内側板（上直内側板２１ｂ）と、両側板（２１ａ）（２１ｂ）間に設けられる複数の段板（２８）及び複数の蹴込板（２９）とを具備している。
【００４４】
上直外側板（２１ａ）及び上直内側板（２１ｂ）の内面側には、上記と同様に、段板取付溝（２２ａ）（２２ｂ）及び蹴込板取付溝（２３ａ）（２３ｂ）が形成されている。
【００４５】
また図１０及び図１１に示すように、上直外側板（２１ａ）の下端縁は、下側が切り欠かれるように形成されて、上側に凸部（２４ａ）、下側に切欠凹部（２５ａ）を有する下側切欠接合部（２０ａ）として構成されている。更に切欠接合部（２０ａ）における凸部（２４ａ）及び凹部（２５ａ）間の段差部が、係合段部（２６ａ）として構成されている。
【００４６】
なお図１０及び図１１に示すように、上直外側板（２１ａ）における最下段の段板取付溝（２２ａ）の先端縁は、凸部（２４ａ）の先端縁に一致するように配置されるとともに、段板取付溝（２２ａ）の先端部下端縁が係合段部（２６ａ）に一致するように配置されている。更に最下段の蹴込板取付溝（２３ａ）は、その前側縁が切欠接合部（２０ａ）の凹部（２６ａ）の先端縁に一致するように配置されている。
【００４７】
図６に示すように上直内側板（２１ｂ）の下端縁は、下側が切り欠かれるように形成されて、上側に凸部（２４ｂ）、下側に切欠凹部（２５ｂ）を有する下側切欠接合部（２０ｂ）として構成されている。
【００４８】
なお上直内側板（２１ｂ）における最下段の段板取付溝（２２ｂ）の先端は、接合部（２０ｂ）の端縁に対応して配置されている。更に最下段の蹴込板取付溝（２３ｂ）は、切欠接合部（２０ｂ）の切欠凹部（２５ｂ）の端縁に沿って配置されている。
【００４９】
そして上直外側板（２１ａ）及び上直内側板（２１ｂ）が互いに対向するようにして支柱（１）（２）等の家屋構造体に固定される。
【００５０】
更に内外両側板（２１ａ）（２１ｂ）の対向する段板取付溝（２２ａ）（２２ｂ）にその後方から段板（２８）の両側端縁がそれぞれ挿入されて固定されるとともに、対向する蹴込板取付溝（２３ａ）（２３ｂ）にその下方から蹴込板（２９）の両側端縁がそれぞれ挿入されて固定されている。
【００５１】
図１ないし図７に示すように、廻り階段（３０）は、５段回しタイプのものであって、第１ないし第５段板（３１）〜（３５）と、第１ないし第５蹴込板（４１）〜（４５）と、廻り階段（３０）の周囲に配置される３枚の外廻り側板（５１ａ）（６１ａ）（７１ａ）と、廻り階段（３０）の中心部に配置される３本の中心部材（５１ｂ）（６１ｂ）（７１ｂ）とを具備している。
【００５２】
外廻り側板は、廻り階段（３０）の外周における一側面に沿って配置される外廻り一側板（５１ａ）と、前側面に沿って配置される外廻り前側板（６１ａ）と、他側面に沿って配置される外廻り他側板（７１ａ）とを具備している。
【００５３】
図８及び図９に示すように、外廻り一側板（５１ａ）は、下直外側板（１１ａ）の上端縁に沿って配置されるものであって、端縁（下端縁）側が下側切欠接合部（５０ａ）として構成されている。この切欠接合部（５０ａ）は、下側が切り欠かれるようにして、上側に凸部（５４ａ）、下側に切欠凹部（５５ａ）が形成されている。更に切欠接合部（５０ａ）における凸部（５４ａ）及び凹部（５５ａ）間の段差部が、係合段部（５６ａ）として構成されている。
【００５４】
また外廻り一側板（５１ａ）の内面側には、第１及び第２段板取付溝（３１ａ）（３２ａ）が水平方向に延びるように形成されている。段板取付溝（３１ａ）（３２ａ）は、その後端側が開放されて、その開放端部から第１及び第２段板（３１）（３２）の端縁を挿入できるよう構成されている。
【００５５】
第１段板取付溝（３１ａ）の先端部は、外廻り一側板（５１ａ）における切欠接合部（５０ａ）の凸部（５４ａ）内に配置されている。詳細には、第１段板取付溝（３１ａ）の先端縁が凸部（５４ａ）の先端縁に一致するように配置されるとともに、段板取付溝（３１ａ）の先端部下端縁が係合段部（５６ａ）に一致するように配置されている。
【００５６】
また外廻り一側板（５１ａ）の内面側には、段板取付溝（３１ａ）（３２ａ）の先端部から下方に延びる第１及び第２蹴込板取付溝（４１ａ）（４２ａ）が形成されている。各蹴込板取付溝（４１ａ）（４２ａ）は、その下端側が開放されて、外廻り一側板（５１ａ）の下側から第１及び第２蹴込板（４１）（４２）の端縁を挿入できるよう構成されている。
【００５７】
ここで、第１蹴込板取付溝（４１ａ）は、その前側縁が切欠接合部（５０ａ）の凹部（５６ａ）の先端縁に一致するように配置されている。
【００５８】
なお、外廻り一側板（５１ａ）の内面側には、その端部（上側端部）に垂直に延びる組付溝（５７ａ）が形成されている。
【００５９】
この外廻り一側板（５１ａ）は、その切欠接合部（５０ａ）が下直外側板（１１ａ）の切欠接合部（１０ａ）に相欠き接合された状態で支柱（２）に固定される。これにより外廻り一側板（５１ａ）が、廻り階段（３０）の一側面に沿って配置される。
【００６０】
図７に示すように、外廻り前側板（６１ａ）の一端縁には、上記外廻り一側板（５１ａ）の組付溝（５７ａ）に対応して組付凸部（６０ａ）が形成されている。
【００６１】
外廻り前側板（６１ａ）の内面側には、第２ないし第４段板（３２）〜（３４）に対応して、水平方向に延びる第２ないし第４段板取付溝（３２ａ）〜（３４ａ）が形成されるとともに、第３及び第４段板取付溝（３３ａ）（３４ａ）の先端から下方に垂直方向に延びる第３及び第４蹴込板取付溝（４３ａ）（４４ａ）が形成されている。更に外廻り前側板（６１ａ）の他端部には、垂直に延びる組付溝（６７ａ）が形成されている。
【００６２】
なお本実施形態において、第２段板取付溝（３２ａ）は、外廻り一側板（５１ａ）及び外廻り前側板（６１ａ）の双方に形成されている。更に第４段板取付溝（３４ａ）は、外廻り前側板（６１ａ）及び外廻り他側板（７１ａ）の双方に形成されている。
【００６３】
この外廻り前側板（６１ａ）は、その組付凸部（６０ａ）が一側板（５１ａ）の組付溝（５７ａ）に挿入された状態で支柱（２）に固定される。これにより外廻り前側板（６１ａ）が廻り階段（３０）の前側面に沿って配置される。
【００６４】
図５示すように、外廻り他側板（７１ａ）は、上直外側板（２１ａ）の下端縁に沿って配置されるものであって、他端縁側（上端縁側）が上側切欠接合部（７０ａ）として構成されている。図１０及び図１１に示すように、この切欠接合部（７０ａ）は、上側が切り欠かれるようにして、上側に切欠凹部（７４ａ）、下側に凸部（７５ａ）が形成されている。更に切欠接合部（７０ａ）における凹部（７４ａ）及び凸部（７５ａ）間の段差部が、係合段部（７６ａ）として構成されている。
【００６５】
また外廻り他側板（７１ａ）の内側面には、第４及び第５段板（３４）（３５）の取付位置に対応して、水平方向に延びる第４及び第５段板取付溝（３４ａ）（３５ａ）が形成されるとともに、第５段板取付溝（３５ａ）の先端から下方に垂直に延びる第５蹴込板取付溝（４５ａ）が形成されている。
【００６６】
更に外廻り他側板（７１ａ）の一端縁側（下端縁側）には、上記外廻り前側板（６１ａ）の組付溝（６７ａ）に対応して組付凸部（７７ａ）が形成されている。
【００６７】
この外廻り他側板（７１ａ）は、その切欠接合部（７０ａ）が上直外側板（２１ａ）の切欠接合部（２０ａ）に相欠き接合されるとともに、組付凸部（７７ａ）が外廻り前側板（６１ａ）の組付溝（６７ａ）に挿入された状態で支柱（２）に固定される。これにより外廻り他側板（７１ａ）が、廻り階段（３０）の他側面に沿って配置される。
【００６８】
一方図１２ないし図１６に示すように、中心部材は、廻り階段（３０）の中心部における中心柱（１）の周囲３面に配置される中心一側部材（５１ｂ）、中心前側部材（６１ｂ）及び中心他側部材（７１ｂ）を具備している。
【００６９】
中心一側部材（５１ｂ）は、中心柱（１）の下直階段側の側面（一側面）に配置されるものであって、下端が上記下直内側板（１１ｂ）における上端切欠接合部（１０ｂ）の切欠凹部（１４ｂ）に嵌め込まれた状態で中心柱（１）に固定されている。
【００７０】
中心一側部材（５１ｂ）には、第２段板（３２）の取付位置に対応して第２段板取付溝（３２ｂ）が形成されるとともに、その溝（３２ｂ）から下方に向かって垂直に延びる第２蹴込板取付溝（４２ｂ）が形成されている。
【００７１】
図１５ないし図１７に示すように中心一側部材（５１ｂ）の前側木口には、第２段板取付溝（３２ｂ）よりも上方において、上下方向に所定の間隔おきに複数の木製ダボ（５５ｂ）が設けられている。各ダボ（５５ｂ）は、その基端側が中心一側部材（５１ｂ）の前側木口に埋設状態に固定されて、先端側が前方に向けて突出するよう配置されている。
【００７２】
中心前側部材（６１ｂ）は、中心柱（１）の廻り階段側の側面（前側面）に配置されている。この中心前側部材（６１ｂ）には、第３及び第４段板（３３）（３４）に対応して第３及び第４段板取付溝（３３ｂ）（３４ｂ）が形成されるとともに、各溝（３３ｂ）（３４ｂ）から下方に垂直に延びる第３及び第４蹴込板取付溝（４３ｂ）（４４ｂ）が形成されている。
【００７３】
中心前側部材（６１ｂ）には、中心柱（１）に対接する裏面側の一側縁に、上記中心一側部材（５１ｂ）の各ダボ（５５ｂ）に対応して、水平方向に長い長孔形状のダボ孔（６６ｂ）がそれぞれ形成されている。更に中心前側部材（６１ｂ）の他側木口には、第４段板取付溝（３４ｂ）よりも上方において、上下方向に所定の間隔おきに複数の木製ダボ（６５ｂ）が設けられている。各ダボ（６５ｂ）は、上記と同様、基端側が中心前側部材（６１ｂ）側に埋設状態に固定されて、先端側が他側方向に向けて突出するよう配置されている。
【００７４】
そしてこの中心前側部材（６１ｂ）は、その下端が上記中心一側部材（５１ｂ）の第２段板取付溝（３２ｂ）に対応して配置されるとともに、各ダボ孔（６６ｂ）内に中心一側部材（５１ｂ）の各ダボ（５５ｂ）が嵌合されるようにして、中心柱（１）の前側面に固定されている。
【００７５】
中心他側部材（７１ｂ）は、中心柱（１）の上直階段側の側面（他側面）に配置されている。この中心他側部材（７１ｂ）の上端部一側面（後側面）には、上端が切り欠かれた切欠接合部（７０ｂ）が設けられている。更に中心他側部材（７１ｂ）には、第５段板（３５）に対応して第５段板取付溝（３５ｂ）が形成されるとともに、その溝（３５ｂ）から下方に向かって垂直に延びる第５蹴込板取付溝（４５ｂ）が形成されている。
【００７６】
更に中心他側部材（７１ｂ）には、上記中心前側部材（６１ｂ）の各ダボ（６５ｂ）に対応して、水平方向に長い長孔形状のダボ孔（７６ｂ）がそれぞれ形成されている。
【００７７】
そしてこの中心他側部材７１ｂ）は、その下端が上記中心前側部材（６１ｂ）の第４段板取付溝（３４ｂ）に対応して配置されるとともに、各ダボ孔（７６ｂ）内に中心前側部材（６１ｂ）の各ダボ（６５ｂ）が嵌合されるようにして、中心柱（１）の他側面に固定されている。
【００７８】
なお中心他側部部材（７１ｂ）の後端に設けられた切欠接合部（７０ｂ）には、上記上直内側板（２１ｂ）の下端切欠接合部が相欠き接合状態に配置されている。
【００７９】
ここで図１５ないし図１７に示すようにダボ（５５ｂ）（６５ｂ）は、種類や材質は特に限定されるものではないが、本実施形態では板内に埋め込むタイプであるため、一般には木製のものが使用される。
【００８０】
またダボ（５５ｂ）（６５ｂ）は、木口側に、（ダボの）長さの１／２〜１／３、板面側に、１／３〜１／２程度埋設されるのが通例である。
【００８１】
更にダボ（５５ｂ）（６５ｂ）は、直径が５〜１５ｍｍ、好ましくは８〜１２ｍｍのものを用いるのが良く、長さは２５〜３０ｍｍのものが好んで使用される。更にダボ（５５ｂ）（６５ｂ）の取付ピッチは、１００〜２００ｍｍ程度に設定するのが好ましい。
【００８２】
またダボ孔（６６ｂ）（７６ｂ）は、縦径がダボ径よりも０．１〜０．５ｍｍ程度小さいものを用いて、無理嵌めできるよう構成するのが良い。更に横径は特に限定されるものではないが、ダボ（５５ｂ）（６５ｂ）が横方向（水平方向）に１〜５ｍｍ程度移動できるように、ダボ径よりも２〜１０ｍｍ程度大きく設定するのが良い。
【００８３】
一方、廻り階段（３０）における第１ないし第５段板（３１）〜（３５）は、外廻り側板（５１ａ）（６１ａ）（７１ａ）及び中心部材（５１ｂ）（６１ｂ）（７１ｂ）における対応する第１ないし第５段板取付溝（３１ａ）〜（３５ａ）、（３１ｂ）〜（３５ｂ）に挿入されて固定されるとともに、第１ないし第５蹴込板（４１）〜（４５）は、対応する第１ないし第５蹴込板取付溝（４１ａ）〜（４５ａ）、（４１ｂ）〜（４５ｂ）に挿入されて固定されている。
【００８４】
次に本実施形態の階段構造の施工手順について説明する。例えばこの構造を下側から施工する場合、以下の手順で施工される。
【００８５】
まず下直階段（１０）における下直外側板（１１ａ）を対応する支柱（２）に固定する。このとき外側板（１１ａ）の下端は階下の床面に接地する。
【００８６】
次に廻り階段（３０）における外廻り一側板（５１ａ）を組み付ける。すなわち外廻り一側板（５１ａ）をその下側切欠接合部（５０ａ）を下直外側板（１１ａ）の上側切欠接合部（１０ａ）に相欠き接合して位置決め状態に載置しておいて、外廻り一側板（５１ａ）の上端を支柱（２）に固定した後、下端を支柱（２）に固定する。このとき外廻り一側板（５１ａ）は、その下側切欠接合部（５０ａ）を下直外側板（１１ａ）の上側切欠接合部（１０ａ）に係合することにより、両側板（５１ａ）（１１ａ）間の位置決めを簡単かつ精度良く行うことができる。更に外廻り一側板（５１ａ）の切欠接合部（５０ａ）における係合段部（５６ａ）を、下直外側板（１１ａ）の切欠接合部（１１ａ）における係合段部（１６ａ）に載置することにより、外廻り一側板（５１ａ）の切欠接合部側を仮置き固定することができるため、外廻り一側板（５１ａ）の固定作業を効率良くスムーズに行うことができる。
【００８７】
次に外廻り前側板（６１ａ）を組み付ける。すなわち外廻り一側板（５１ａ）の組付溝（５７）に前側板（６１ａ）の組付凸部（６０ａ）を差し込んで位置決めした状態で、前側板（６１ａ）の上側端部（他側板７１ａ側の端部）を支柱（２）に固定した後、下側端部（一側板５１ａ側の端部）を支柱（２）に固定する。
【００８８】
続いて外廻り他側板（７１ａ）を組み付ける。すなわち外廻り前側板（６１ａ）の組付溝（６７ａ）に外廻り他側板（７１ａ）の組付凸部（７７ａ）を差し込んで位置決めした状態で、他側板（７１ａ）の下側端部（上直階段に対し反対側）を支柱（２）に固定する。
【００８９】
その後、上直外側板（２１ａ）を組み付ける。すなわち上直外側板（２１ａ）の切欠接合部（２０ａ）を外廻り他側板（７１ａ）の切欠接合部（７０ａ）に相欠き接合して位置決めした状態で、外廻り他側板（７１ａ）の上側端部（上直階段側）を支柱（２）に固定する。この上直外側板（２１ａ）の組付作業においても、上記と同様、上直外側板（２１ａ）の切欠接合部（２０ａ）を外廻り他側板（７１ａ）の切欠接合部（７０ａ）に相欠き接合することにより、両者間を精度良く簡単に位置決めすることができる。
【００９０】
なお上直外側板（２１ａ）の上端部側は、階上の床面に接地する。
【００９１】
次に下直内側板（１１ｂ）を対応する支柱（１）（１）に固定する。このとき内側板（１１ｂ）の下端は階下の床面に接地する。
【００９２】
続いて下直内側板（１１ｂ）及び下直外側板（１１ａ）間において、対応する段板取付溝（１２ａ）（１２ｂ）に複数の段板（１８）を階段裏面側から差し込んで取り付けるとともに、対応する蹴込板取付溝（１３ａ）（１３ｂ）に複数の蹴込板（１９）を階段裏面側から差し込んで取り付ける。
【００９３】
次に廻り階段（３０）における第１及び第２段板（３１）（３２）を、外廻り一側板（５１ａ）及び前側板（６１ａ）おける対応する段板取付溝（３１ａ）（３２ａ）にそれぞれ差し込んで取り付けるとともに、第１及び第２蹴込板（４１）（４２）を、対応する蹴込板取付溝（４１ａ）（４２ａ）にそれぞれ差し込んで取り付ける。このとき第１段板（３１）の内側端縁は、下直内側板（１１ｂ）の最上位の段板取付溝（１２ｂ）に差し込んで取り付けるとともに、第１蹴込板（４１）の内側端縁は、下直内側板（１１ｂ）の最上位の蹴込板取付溝（１３ｂ）に差し込んで取り付ける。
【００９４】
続いて中心一側部材（５１ｂ）を、その下端を下直内側板（１１ｂ）の上側切欠接合部（１１ｂ）における切欠凹部（１４ｂ）に係合するとともに、前側端縁を中心柱（１）の前側面に一致させて（面一に合わせて）、中心柱（１）に固定する。このとき中心一側部材（５１ｂ）の第２段板取付溝（３２ｂ）及び第２蹴込板取付溝（４２ｂ）を、第２段板３２）及び第２蹴込板（４２）の内側端縁に嵌め込むように配置する。
【００９５】
次に中心前側部材（６１ｂ）のダボ孔（６６ｂ）内に中心一側部材（５１ｂ）のダボ（５５ｂ）を嵌合させるようにして、中心前側部材（６１ｂ）を、その一側縁で中心一側部材（５１ｂ）の前側木口を覆うように配置する。続いて、ダボ（５５ｂ）をダボ孔（６６ｂ）に沿ってガイドさせるようにしながら、中心前側部材（６１ｂ）を、一側方向（水平方向）に沿ってスライドさせることにより、中心前側部材（６１ｂ）の一側端縁を中心一側部材（５１ｂ）の表面に正確に一致させる。
【００９６】
ここで、ダボ孔（６６ｂ）にダボ（５５ｂ）を嵌合した際には、中心前側部材（６１ｂ）の中心一側部材（５１ｂ）に対する上下方向の位置決めを自動的にかつ正確に図ることができるため、その方向の位置合わせ作業を省略することがきる。しかも中心前側部材（６１ｂ）をダボ孔（６６ｂ）に沿って一側方向にスライドさせることにより、中心前側部材（６１ｂ）を中心一側部材（５１ｂ）に対し高精度に位置合わせすることができ、中心前側部材（６１ｂ）を最適な位置に適切に配置でき、収まり具合が良く良好な美観を得ることができる。
【００９７】
こうして中心前側部材（６１ｂ）を所定位置に配置した後、中心柱（１）に固定する。
【００９８】
次に、第３及び第４段板（３３）（３４）を、外廻り側板（６１ａ）（７１ａ）及び中心前側部材（６１ｂ）の対応する段板取付溝（３３ａ）（３４ａ）（３３ｂ）（３４ｂ）にそれぞれ差し込んで取り付ける。更に第３及び第４蹴込板（４３）（４４）を、対応する蹴込板取付溝（４３ａ）（４４ａ）（４３ｂ）（４４ｂ）にそれぞれ差し込んで取り付ける。この取付時においても、中心前側部材（６１ｂ）が位置精度良く配置されているため、段板（３３）（３４）及び蹴込板（４３）（４４）を位置精度良く組み付けることができる。
【００９９】
その後、中心他側部材（７１ｂ）のダボ孔（７６ｂ）内に中心前側部材（６１ｂ）のダボ（６５ｂ）を嵌合させるようにして、中心他側部材（７１ｂ）を、その前側縁で中心前側部材（６１ｂ）の他側木口を覆うように配置する。続いて、ダボ（６５ｂ）をダボ孔（７６ｂ）に沿ってガイドさせるようにしながら、中心他側部材（７１ｂ）を、その前側端縁を中心前側部材（６１ｂ）の前面に正確に一致させて、中心他側部材（７１ｂ）を中心柱（１）に固定する。
【０１００】
この中心他側部材（７１ｂ）の組付においても、上記と同様、ダボ孔（７６ｂ）にダボ（６５ｂ）を嵌合することによって、上下方向の位置決めを正確に図ることができるとともに、ダボ孔（７６ｂ）に沿って中心他側部材（７１ｂ）をスライドさせることにより、中心他側部材（７１ｂ）を最適な位置に高精度に位置合わせすることができる。
【０１０１】
その後、第５段板（３５）及び第５蹴込板（４５）を、外廻り他側板（７１ａ）及び中心他側部材（７１ｂ）の第５段板取付溝（３５ａ）（３５ｂ）及び第５蹴込板取付溝（４５ａ）（４５ｂ）にそれぞれ差し込んで取り付ける。
【０１０２】
この取付時においても、上記と同様、中心他側部材（７１ｂ）が位置精度良く配置されているため、段板（３５）及び蹴込板（４５）を位置精度良く組み付けることができる。
【０１０３】
なお本実施形態においては、ダボ（５５ｂ）（６５ｂ）をダボ孔（６６ｂ）（７６ｂ）に嵌合する際に、ダボ（５５ｂ）（６５ｂ）の外周面やダボ孔（６６ｂ）（７６ｂ）内に接着剤を塗布しておいて、所定時間経過後、両者を接着固定するようにしても良い。
【０１０４】
こうして廻り階段（３０）を組み立てた後、上直階段（２０）における上直内側板（２１ｂ）を支柱（１）（２）に固定する。このとき上直内側板（２１ｂ）は、その切欠接合部（２０ｂ）を中心他側部材（７１ｂ）の切欠接合部（７０ｂ）に相欠き接合して位置決めするとともに、上端を階上の床面に接地した状態で、支柱（１）（２）に固定する。
【０１０５】
その後、上直階段（２０）において、対応する段板取付溝（２２ａ）（２２ｂ）にそれぞれ段板（２８）を階段裏面側から差し込んで取り付けるとともに、対応する蹴込板取付溝（２３ａ）（２３ｂ）にそれぞれ蹴込板（２９）を階段裏面側から差し込んで取り付ける。これにより本実施形態の階段構造が形成される。
【０１０６】
以上のように、本実施形態の階段構造によれば、中心部材における中心一側部材（５１ｂ）にダボ（５５ｂ）を設けるとともに、中心前側部材（６１ｂ）に横長のダボ孔（６６ｂ）を設けて、ダボ（５５ｂ）をダボ孔（６６ｂ）内に嵌合させることにより、中心前側部材（６１ｂ）の中心一側部材（５１ｂ）に対する上下方向の位置決めを自動的にかつ正確に図ることができるため、その方向の位置合わせ作業を省略することがきる。しかもダボ（５５ｂ）をダボ孔（６６ｂ）に沿ってガイドさせるようにしながら、中心前側部材（６１ｂ）を一側方向に沿ってスライドさせることにより、中心前側部材（６１ｂ）を中心一側部材（５１ｂ）に対し高精度に位置合わせすることができる。同様に、中心他側部材（７１ｂ）を取り付ける際にも、ダボ（６５ｂ）をダボ孔（７６ｂ）に嵌合させて、中心他側部材（７１ｂ）の上下の位置決めを図ってから、ダボ（６５ｂ）をダボ孔（７６ｂ）に沿ってガイドさせるようにしながら、中心他側部材（７１ｂ）を前側方向に沿ってスライドさせることにより、中心他側部材（７１ｂ）を中心前側部材（６１ｂ）に対し高精度に位置合わせすることができる。このように段板取付用の中心部材（５１ｂ）（６１ｂ）（７１ｂ）を位置精度良く組み付けることができるため、各中心部材（５１ｂ）（６１ｂ）７１ｂ）に取り付けられる段板（３１）〜（３５）及び蹴込板（４１）〜（４５）も位置精度良く組み付けることができ、中心柱廻りにおいて良好な収まり具合を得ることができて、美観を向上させることができる。
【０１０７】
また、本実施形態の階段構造においては、下直外側板（１１ａ）の上端縁に上側を切り欠いた切欠接合部（１０ａ）を形成するとともに、外廻り一側板（５１ａ）の下端縁に下側を切り欠いた切欠接合部（５０ａ）を形成するものであるため、両接合部（１０ａ）（５０ａ）を相欠き接合状態に係合するだけで簡単に、両側板（１１ａ）（５１ａ）間の位置決めを精度良く行うことができ、施工作業を効率良くスムーズに行うことができる。
【０１０８】
更に外廻り一側板（５１ａ）及び下直外側板（１１ａ）の切欠接合部（５０ａ）（１０ａ）を係合した際に、外廻り一側板（５１ａ）の切欠接合部（５０ａ）における係合段部（５６ａ）が、下直外側板（１１ａ）の切欠接合部（１１ａ）における係合段部（１６ａ）に載置されるため、外廻り一側板（５１ａ）の切欠接合部側を仮置き固定することができ、外廻り一側板（５１ａ）の固定作業を容易に行うことができる。
【０１０９】
また本実施形態においては、外廻り一側板（５１ａ）の切欠接合部（５０ａ）における上側凸部（５５ａ）内に段板取付溝（３１ａ）の先端を配置するものであるため、段板取付溝が、外廻り側板及び下直外側板間に跨って配置されるようなこともなく、両側板間に位置ずれがあろうとも、段板取付溝（３１ａ）の形状が変化するようなことはなく、その溝内に段板（３１）を確実に挿入して固定することができ、一層施工作業を効率良くスムーズに行うことができる。
【０１１０】
なお、本実施形態において、例えば両側板（１１ａ）（５１ａ）を相欠き接合した際に、組付誤差や寸法誤差の影響により、両側板（１１ａ）（５１ａ）間に位置ずれが生じたとしても、その位置ずれを簡単に吸収することができる。
【０１１１】
例えば外廻り一側板（５１ａ）の切欠接合部（５０ａ）における上端コーナ部が、下直外側板（１１ａ）の切欠接合部（１０ａ）における上端コーナ部よりも沈み込んでいる場合には、両切欠接合部（１０ａ）（５０ａ）の係合段部（１６ａ）（５６ａ）間に、介在物を介在させる等して隙間を持たせることにより、外廻り外側板（５１ａ）を浮き上がらせて、その外側板（５１ａ）の切欠接合部（５０ａ）における上端コーナ部を、下直外側板（１１ａ）の切欠接合部（１０ａ）における上端コーナ部に一致させることができ、良好な美観を得ることができる。なおこのように位置ずれを吸収したとしても、本実施形態においては、外廻り一側板（５１ａ）の切欠接合部（５０ａ）における上側凸部（５４ａ）内に段板取付溝（３１ａ）の先端を配置するものであるため、溝（３１ａ）の形状が変化することはなく、その溝内に段板（３１）を確実に挿入して組み付けることができる。
【０１１２】
また逆に、外廻り一側板（５１ａ）の切欠接合部（５０ａ）における上端コーナ部が、下直外側板（１１ａ）の切欠接合部（１０ａ）における上端コーナ部よりも浮き上がっている場合には、下直外側板（１１ａ）の係合段部（１６ａ）を削って、下直外側板（１１ａ）の上端コーナ部を外廻り一側板（５１ａ）の上端コーナ部に一致させるようにすれば良い。
【０１１３】
このように本実施形態の階段構造においては、組付誤差や寸法誤差等による位置ずれを簡単に吸収しつつ、組立作業も確実に行うこことができる。
【０１１４】
また本実施形態においては、外廻り一側板（５１ａ）に形成される第１段板取付溝（３１ａ）の先端縁を、切欠接合部（５０ａ）における凸部（５４ａ）の先端縁に一致させるように形成するとともに、第１蹴込板取付溝（４１ａ）の前端縁を、切欠接合部（５０ａ）における切欠凹部（５５ａ）の先端縁に一致させるように形成しているため、切欠接合部（５０ａ）の裁断加工と同時に、段板取付溝（３１ａ）の先端縁や蹴込板取付溝（４１ａ）の前端縁を形成することができ、これらの溝加工を精度良く簡単に行うことができ、側板（５１ａ）（１１ａ）の製作を容易に行うことができる。
【０１１５】
本実施形態においては、外廻り他側板（７１ａ）と上直外側板（２１ａ）との組付時においても、上記と同様に、位置決めを簡単に行えて、施工作業を効率良くスムーズに行うことができる。更に組付誤差や寸法誤差を簡単に吸収でき、更に部品製作も容易に行うことができる。
【０１１６】
また本実施形態においては、下直内側板（１１ｂ）の上側縁に切欠接合部（１０ｂ）を形成して、その切欠接合部（１０ｂ）に中心一側部材（５１ｂ）の下端を係合して位置決めするものあるため、下直内側板（１１ｂ）及び中心一側部材（５１ｂ）間の位置合わせも容易に行うことができる。
【０１１７】
更に下直内側板（１１ｂ）の切欠接合部（１０ｂ）に中心一側部材（５１ｂ）の下端を係合した際に、中心一側部材（５１ｂ）を仮置きできるため、中心一側部材（５１ｂ）の固定作業をよりスムーズに行うことができる。
【０１１８】
その上、本実施形態においては、中心他側部材（７１ｂ）の上端部に切欠接合部（７０ｂ）を形成するとともに、上直内側板（２１ｂ）の下端縁に切欠接合部（２０ｂ）を形成し、これらの両切欠接合部（２０ｂ）（７０ｂ）を相欠き接合状態に係合して位置決めするものであるため、中心他側部材（７１ｂ）及び上直内側板（２１ｂ）間の位置合わせも容易に行うことができる。
【０１１９】
更に中心他側部材（７１ｂ）の切欠接合部（７０ｂ）に上直内側板（２１ｂ）の切欠接合部（２０ｂ）を係合した際に、上直内側板（２１ｂ）の下側を仮置きできるため、上直内側板（２１ｂ）の固定作業をより一層スムーズに行うことができる。
【０１２０】
なお上記実施形態においては、本発明を折り返し階段に適用した場合について説明したが、本発明はそれだけに限られず、かね折れ階段等、他の廻り階段付き階段構造に適用することもできる。
【０１２１】
また上記実施形態においては、下直外側板（１１ａ）に上側切欠接合部（１０ａ）を形成するとともに、外廻り一側板（５１ａ）に下側切欠接合部（５０ａ）を形成するようにしているが、それだけに限られず、本発明は、下直外側板（１１ａ）に下側切欠接合部を形成して、外廻り一側板（５１ａ）に上側切欠接合部を形成するようにしても良い。更に外廻り他側板（７１ａ）に下側切欠接合部を形成して、上直外側板（２１ａ）に上側切欠接合部を形成するようにしても良い。
【０１２２】
また上記実施形態においては、階段構造を下側から施工する場合について説明したが、それだけに限られず、本発明は、階段構造を上側から施工することもできる。この場合、上直内側板（２１ｂ）に上側切欠部を形成するとともに、中心他側部材（７１ｂ）に下側切欠部（切欠凹部）を形成し、更に中心他側部材（７１ｂ）の前端木口を中心前側部材（６１ｂ）における裏面側の他側縁部に突き付けるとともに、中心前側部材（６１ｂ）の一側木口を中心一側部材（５１ｂ）の前端縁に突き付けるように構成するのが好ましい。その上更に、上直外側板（２１ａ）に上側切欠接合部を形成するとともに、外廻り他側板（７１ａ）に下側切欠接合部を形成し、更に外廻り一側板（５１ａ）に上側切欠接合部を形成するとともに、下直外側板（１１ａ）に下側切欠接合部を形成するのが良い。
【０１２３】
また上記実施形態においては、直階段（１０）（２０）の外側板（１１ａ）（２１ａ）を外廻り側板（５１ａ）（７１ａ）に相欠き接合するようにしているが、それだけに限られず、本発明においては、直階段（１０）（２０）の外側板（１１ａ）（２１ａ）と外廻り側板（５１ａ）（７１ａ）との対向端縁を直線状に切断しておき、その直線状の切断端縁を互いに突き合わせ状態に接合するようにしても良い。
【０１２４】
更に上記実施形態においては、外廻り一側板（５１ａ）の前端縁が、外廻り前側板（６１ａ）の前方（裏面側）へ突出するとともに、外廻り前側板（６１ａ）の一側端縁が、外廻り他側板（７１ａ）の他側方向（裏面側）へ突出するように配置しているが、プレハブ工法等において、壁材が構造材として用いられるものでは、外廻り側板の端縁突出部を形成せずに、外廻り側板を、構造材としての壁材に固定するようにしても良い。
【０１２５】
また上記実施形態は、廻り階段（３０）に５枚の段板が取り付けられる５段廻しタイプの階段構造を例に挙げて説明したが、それだけに限られず、本発明は、廻り階段が２段廻し、３段廻し、４段廻し、６段廻しタイプ等にも適用でき、更に廻り階段の片側、あるいは全域が踊り場に形成されたものにも上記と同様に適用することができる。
【０１２６】
また上記実施形態においては、中心構造材として中心柱が採用されたものを例に挙げて説明したが、それだけに限られず、本発明においては、中心構造材として壁材が採用されたもの、つまり中心柱の位置に、壁材の一部が配置されるものにものにも採用することができる。
【図面の簡単な説明】
【０１２７】
【図１】この発明の実施形態である階段構造を示す斜視図である。
【図２】実施形態の階段構造を示す平面図である。
【図３】実施形態の階段構造における下直外側板から外廻り一側板にかけての部分を図２の矢符Ａ１方向から見た場合の内側面図である。
【図４】実施形態の階段構造における下直内側板を図２の矢符Ｂ１方向から見た場合の内側面図である。
【図５】実施形態の階段構造における外廻り他側板から上直外側板にかけての部分を矢符Ａ２方向から見た場合の内側面図である。
【図６】実施形態の階段構造における上直内側板を図２の矢符Ｂ２方向から見た場合の内側面図である。
【図７】実施形態の階段構造における外廻り前側板を図２の矢符Ａ３方向から見た場合の内側面図である。
【図８】実施形態の階段構造における下直内側板及び外廻り一側板の接合部を示す内側面図である。
【図９】実施形態の下直内側板及び外廻り一側板の接合部を分解して示す内側面図である。
【図１０】実施形態の階段構造における外廻り他側板及び上直内側板の接合部を示す内側面図である。
【図１１】実施形態の外廻り他側板及び上直内側板の接合部を分解して示す内側面図である。
【図１２】実施形態の階段構造における廻り階段の中心部材周辺を示す平面図である。
【図１３】実施形態の階段構造における廻り階段の中心部材周辺を分解して示す平面図である。
【図１４】実施形態の階段構造における廻り階段の中心一側部材を図２の矢符Ｂ１方向からみた場合の内側面図である。
【図１５】同図（ａ）は実施形態の階段構造における廻り階段の中心前側部材を図２の矢符Ｂ３方向からみた場合の内側面図、同図（ｂ）は同図（ａ）の一点鎖線で囲まれる部分を拡大して示す断面図である。
【図１６】同図（ａ）は実施形態の階段構造における廻り階段の中心他側部材を図２の矢符Ｂ２方向からみた場合の内側面図、同図（ｂ）は同図（ａ）の一点鎖線で囲まれる部分を拡大して示す断面図である。
【図１７】実施形態の階段構造における中心部材間のダボ周辺を分離して示す図であって、同図（ａ）は側面断面図、同図（ｂ）は水平断面図である。
【符号の説明】
【０１２８】
１…中心柱（中心構造材）
１０…下直階段
１１ｂ…下直内側板
１４ｂ…切欠凹部（切欠部）
２０…上直階段
２０ｂ…切欠接合部（切欠部）
２１ｂ…上直内側板
３０…廻り階段
３１〜３５…段板
５１ｂ…中心一側部材（一端部に位置する中心部材）
５５ｂ、６５ｂ…ダボ
６１ｂ…中心前側部材
６６ｂ、７６ｂ…ダボ孔
７１ｂ…中心他側部材（他端部に位置する中心部材）
７０ｂ…切欠接合部（切欠部）
【図１】
2006016918.tif 000003
【図２】
2006016918.tif 000004
【図３】
2006016918.tif 000005
【図４】
2006016918.tif 000006
【図５】
2006016918.tif 000007
【図６】
2006016918.tif 000008
【図７】
2006016918.tif 000009
【図８】
2006016918.tif 000010
【図９】
2006016918.tif 000011
【図１０】
2006016918.tif 000012
【図１１】
2006016918.tif 000013
【図１２】
2006016918.tif 000014
【図１３】
2006016918.tif 000015
【図１４】
2006016918.tif 000016
【図１５】
2006016918.tif 000017
【図１６】
2006016918.tif 000018
【図１７】
2006016918.tif 000019